(57)【特許請求の範囲】
【請求項１】
互いに隣接して配置した複数のトレーと、トレーを固定するためにトレーのコーナ部間に配置して床面に取付ける複数の固定具とを備え、トレーは植栽部と水抜き部とを有し、固定具は床面に接着により取付けるベース材と、ベース材の上面に立設する位置規制部材と、位置規制部材の上端に着脱自在に固定する抜け止め部材とから構成してあり、位置規制部材がトレーのコーナ部に係合してトレーの前後左右方向の移動を規制し、抜け止め部材がトレーの上方への移動を規制していることを特徴とする植栽装置。
【請求項２】
互いに隣接して配置した複数のトレーと、トレーを固定するためにトレーのコーナ部間に配置して床面に取付ける複数の固定具とを備え、トレーは上面視略矩形で植栽部と水抜き部とを有し、固定具は床面に取付けるベース材と、ベース材の上面に立設する位置規制部材と、位置規制部材の上端に着脱自在に固定する抜け止め部材とから構成してあり、位置規制部材がトレーのコーナ部に係合してトレーの前後左右方向の移動を規制し、抜け止め部材がトレーの上方への移動を規制しており、ベース材は上面視略矩形であり且つ位置規制部材固定部をベース材の略中央部位置とコーナ端部位置と側縁中間部位置に有しており、位置規制部材固定部を選択自在としてあることを特徴とする植栽装置。
【請求項３】
互いに隣接して配置した複数のトレーと、トレーを固定するためにトレーのコーナ間に配置して床面に取付ける複数の固定具とを備え、トレーは上面視略矩形で植栽部と水抜き部とを有すると共に、コーナ部にトレーの外側に開口する凹部を有しており、固定具は床面に取付けるベース材と、ベース材の上面に立設する位置規制部材と、位置規制部材の上端に着脱自在に固定する抜け止め部材とから構成してあり、位置規制部材は、トレーの凹部内に略収まる横断面を有するものであり且つ略水平方向から凹部内に挿入自在であり、位置規制部材が凹部に係合してトレーの前後左右方向の移動を規制し、抜け止め部材がトレーの上方への移動を規制しており、ベース材は上面視略矩形であり且つ位置規制部材固定部をベース材の略中央部位置とコーナ端部位置と側縁中間部位置に有しており、位置規制部材固定部を選択自在としてあることを特徴とする植栽装置。
【発明の詳細な説明】
【０００１】
【発明の属する技術分野】
本発明は、植物を植える複数のトレ−を床面に固定してなる植栽装置に関する。
【０００２】
【従来の技術】
本件出願人の特願２００１−３７２２号（以下「第１の従来技術」という）には、トレーの側壁を受ける取付枠をトレーの両側に設け、隣合うトレーに跨る連結部材を取付枠にねじ止めする技術を開示している。トレーは枠に底部を固定して製造したり、鋳造により製造していることが開示されている。
また、特開２０００−４６７９号公報（以下「第２の従来技術」という）には、トレーのコーナ部に嵌合用凹部を形成し、四つのトレーの角を突き合わせて各嵌合用凹部に同時に嵌合するジョイントを設けた技術が開示されている。
【０００３】
【発明が解決しようとする課題】
しかし、上述の第１の先行技術では、トレーの設置前にトレーの幅に合わせて取付枠を床に固定する必要があるので、取付枠の固定に精度が要求されるため施工作業に手間がかかる。また、取付枠が外部から見えるので外観に劣る。
上述の第２の先行技術では、４つのトレーのコーナを突き合わせて、各トレーのコーナに形成した嵌合用凹部にジョイントを嵌合させる必要があるが、４つのトレーのコーナにおいてそれぞれ嵌合作業を同時に行う必要があるので施工し難く、施工作業性に劣るという問題がある。
【０００４】
そこで、本発明は、施工作業性が良く且つ外観に優れる植栽装置と、製造コストの低減を図ることができる植栽装置の提供を目的とする。
【０００５】
【課題を解決するための手段】
請求項１に記載の発明は、互いに隣接して配置した複数のトレーと、トレーを固定するためにトレーのコーナ部間に配置して床面に取付ける複数の固定具とを備え、トレーは植栽部と水抜き部とを有し、固定具は床面に接着により取付けるベース材と、ベース材の上面に立設する位置規制部材と、位置規制部材の上端に着脱自在に固定する抜け止め部材とから構成してあり、位置規制部材がトレーのコーナ部に係合してトレーの前後左右方向の移動を規制し、抜け止め部材がトレーの上方への移動を規制していることを特徴とする。
【０００６】
この請求項１に記載の発明では、植栽装置の施工は、ベース材に位置規制部材を立設して、ベース材を床面に接着する。次に、各トレーをベース材上に隣接させて配置すると共に各トレーのコーナ部を突き合わせるようにして配置し、位置規制部材を各トレーのコーナ部に係合させる。そして、抜け止め部材を位置規制部材の上端に固定する。
位置規制部材は、各トレーのコーナに係合して前後左右方向の移動を規制し、抜け止め部材がトレーの上方への移動を規制することにより各トレーを固定する。かかるトレーの固定は、各トレーを配置した後、抜け止め部材を位置規制部材に固定するだけであり、各トレーをねじ等によりベース材に固定する必要がないので、施工が容易である。
更に、ベース材は接着により床面に固定し、アンカー等を必要としないので施工が容易であると共に床面に損傷を与えることがない。
また、施工において、ベース材はトレーを配置しながら床面に順次設置することができ、基準となるベース材の寸法出しをした後は、個々のベース材について予めトレーの寸法に合わせて精度よく設置する必要がないので、寸法取りが必要でなく施工が容易である。
ベース材はトレーの下にあるからベース材がトレーから大きくはみ出さないので外から見え難く、外観を損なわない。
抜け止め部材は脱着自在に位置規制部材に固定してあるので、メンテナンス等の場合には、抜け止め部材を外すだけで、各トレーを個別に外すことができるので、メンテナンス等が容易である。
【０００７】
請求項２に記載の発明は、互いに隣接して配置した複数のトレーと、トレーを固定するためにトレーのコーナ部間に配置して床面に取付ける複数の固定具とを備え、トレーは上面視略矩形で植栽部と水抜き部とを有し、固定具は床面に取付けるベース材と、ベース材の上面に立設する位置規制部材と、位置規制部材の上端に着脱自在に固定する抜け止め部材とから構成してあり、位置規制部材がトレーのコーナ部に係合してトレーの前後左右方向の移動を規制し、抜け止め部材がトレーの上方への移動を規制しており、ベース材は上面視略矩形であり且つ位置規制部材固定部をベース材の略中央部位置とコーナ端部位置と側縁中間部位置に有しており、位置規制部材固定部を選択自在としてあることを特徴とする。
【０００８】
この請求項２に記載の発明では、植栽装置の施工は、ベース材に位置規制部材を立設して、ベース材を床面に取付ける。次に、各トレーをベース材上に隣接させると共に各トレーのコーナ部を付き合わせるようにして配置し、位置規制部材を各トレーのコーナ部に係合させる。そして、抜け止め部材を位置規制部材の上端に固定する。
位置規制部材は、各トレーのコーナに係合して前後左右方向の移動を規制し、抜け止め部材がトレーの上方への移動を規制することにより各トレーを固定する。かかるトレーの固定は、各トレーを配置した後、抜け止め部材を位置規制部材に固定するだけであり、各トレーをねじ等によりベース材に固定する必要がないので、施工が容易である。
ベース材はトレーを配置しながら床面に順次設置することができ、基準となるベース材の寸法出しをした後は、個々のベース材について予めトレーの寸法に合わせて精度よく設置する必要がないので、寸法取りが必要でなく施工が容易である。
また、トレーは上面視略矩形であるから、隣合うトレーを突き合わせて順次設置することにより施工でき、施工が容易である。
ベース材はトレーの下にあるからベース材がトレーから大きくはみ出さないので、外から見え難く、外観を損ねない。
ベース材に設けている位置規制部材固定部は、ベース材の略中央位置と、コーナ端部位置と、側縁中間部位置との少なくとも３箇所に選択自在に取付けることができ、トレーを敷地面に並べたときに敷地面のコーナにあるトレーや輪郭に位置するトレーよりも内側にあるトレー等の種々の位置に応じて位置規制部材の固定場所を選択する。例えば、緑化装置を施工する場合には、基準となるベース材に位置規制部材を取付けたものを位置決めした後、トレーの各コーナ部に位置規制部材が係合する位置に次のベース材を固定し、トレーを配置して各コーナ部を位置規制部材に係合させていくが、このようにしてベース材とトレーとを順次設置していくときに、設置する敷地面のコーナにあるベース材にはコーナ端部位置に位置規制規部材を取り付け、敷地面のコーナ間（側縁）にあるベース材には側縁中間位置に位置規制部材を取り付け、敷地面の輪郭（コーナや側縁）よりも内側にあるベース材には略中央位置に位置規制部材を取付けて床面に設置することにより、ベース材がトレーから大きくはみ出すのを防止しつつ設置位置にかかわらず同種のベース材を使用でき、設置位置が異なる毎に異なる種類のべース材を用意する必要がないので施工し易いと共に製造コストを低減できる。
【０００９】
請求項３に記載の発明は、互いに隣接して配置した複数のトレーと、トレーを固定するためにトレーのコーナ部に配置して床面に取付ける複数の固定具とを備え、トレーは上面視略矩形で植栽部と水抜き部とを有すると共に、コーナ部にトレーの外側に開口する凹部を有しており、固定具は床面に取付けるベース材と、ベース材の上面に立設する位置規制部材と、位置規制部材の上端に着脱自在に固定する抜け止め部材とから構成してあり、位置規制部材は、トレーの凹部内に略収まる横断面を有するものであり且つ略水平方向から凹部内に挿入自在であり、位置規制部材が凹部に係合してトレーの前後左右方向の移動を規制し、抜け止め部材がトレーの上方への移動を規制しており、ベース材は上面視略矩形であり且つ位置規制部材固定部をベース材の略中央部位置とコーナ端部位置と側縁中間部位置に有しており、位置規制部材固定部を選択自在としてあることを特徴とする。
【００１０】
この請求項３に記載の発明では、植栽装置の施工は、ベース材に位置規制部材を立設して、ベース材を床面に取付ける。次に、各トレーをベース材上に隣接させると共にトレーのコーナ部を隣接する他のトレーの側縁やコーナ部に付き合わせるようにして配置する。各トレーのコーナ部は凹部に水平方向から位置規制部材を挿入して凹部内に略収めるように、ベース材上に配置する。そして、抜け止め部材を位置規制部材の上端に固定する。
トレーは上面視略矩形であるから、隣合うトレーを突き合わせて順次設置することにより施工でき、施工が容易である。
トレーはコーナ部にトレーの外側に開口する凹部を有し、この凹部には位置規制部材が水平方向から収まるようになっているので、一方のトレーのコーナ部と他方のトレーの側縁（平面視矩形の一辺）とを突き合わせるように隣接配置した場合にも、位置規制部材が邪魔にならずにトレーを隙間なく整列させることができ、外観がよい。このように、各トレーはコーナ部を突き合わせて配置することに限らないから、植栽トレーを設置する敷地形状に合わせたり、障害物等を避けて植栽トレーを設置する等、植栽トレーの設置する敷地形状に制約なく自由な施工ができる。
更に、各トレーは互いにコーナ部を突き合わせて配置することに限らないから、大きさの異なるトレーを用いることができる。
位置規制部材は、トレーのコーナと他のトレーの側縁やコーナに係合してトレーの前後左右方向の移動を規制し、抜け止め部材がトレーの上方への移動を規制することにより各トレーを固定する。かかるトレーの固定は、各トレーを配置した後、抜け止め部材を位置規制部材に固定するだけであり、各トレーをねじ等によりベース材に固定する必要がないので、施工が容易である。
ベース材はトレーを配置しながら床面に順次設置することができ、基準となるベース材の寸法出しをした後は、個々のベース材について予めトレーの寸法に合わせて精度よく設置する必要がないので、寸法取りが必要でなく施工が容易である。
ベース材はトレーの下にあり、トレーから大きくはみ出さないので、外から見え難く、外観を損ねない。
ベース材に設けている位置規制部材固定部は、ベース材の略中央位置と、コーナ端部位置と、側縁中間部位置との少なくとも３箇所に選択自在に取付けることができ、トレーを敷地面に並べたときに敷地面のコーナにあるトレーや輪郭に位置するトレーよりも内側にあるトレー等の種々の位置に応じて位置規制部材の固定場所を選択する。例えば、緑化装置を施工する場合には、基準となるベース材に位置規制部材を取付けたものを位置決めした後、トレーの各コーナ部に位置規制部材が係合する位置に次のベース材を固定し、トレーのコーナ部を位置規制部材に係合させていくが、このようにしてベース材とトレーとを順次設置していくときに、設置する敷地面のコーナにあるベース材にはコーナ端部位置に位置規制規部材を取り付け、敷地面のコーナ間（側縁）にあるベース材には側縁中間位置に位置規制部材を取り付け、敷地面の輪郭（コーナや側縁）よりも内側にあるベース材には略中央位置に位置規制部材を取付けて床面に設置することにより、ベース材がトレーから大きくはみ出すのを防止しつつ設置位置にかかわらず同種のベース材を使用でき、設置位置が異なる毎に異なる種類のべース材を用意する必要がないので施工し易いと共に製造コストを低減できる。
【００１１】
【００１２】
【００１３】
【発明の実施の形態】
以下に、添付図面を参照して本発明の実施の形態を詳細に説明するが、まず、図１乃至図４を参照して本発明の第１実施の形態を説明する。図１は図２に示す植栽装置のＡ−Ａ断面図であり、図２は植栽装置の平面図であり、図３は固定具の図であり、（ａ）は平面図、（ｂ）は側面図であり、図４は植栽装置の施工手順を説明する斜視図である。尚、図１において一点鎖線で抜き出して示しているのはそれぞれの部分の平面図であり、図２において一点鎖線で抜き出して示しているのは、位置規制部材とトレーのコーナとの係合状態を示す平面図である。
本実施の形態にかかる植栽装置１は、ビルの屋上等の床面に設置されるもので、複数のトレー（植栽用トレー）３と、トレー３を固定する複数の固定具５とから構成されている。
トレー３は上面視が略矩形に形成された一定の規格サイズのものであり、互いに隣接して配置している。各トレー３には、底壁１１と、底壁１１の上面にその外周縁に沿って設けた側壁１３と、底壁１１の下面に下方に向けて突出し且つ互いに間隔をおいて設けた複数の凹部１５とが形成されている。底壁１１と側壁１３とで囲まれる内側には、植栽部７と水抜き部９とが設けられており、植栽部７には、軽石１２と、土壌１４と、植物１６を植えた栽培マット１７が収納されている。水抜き部９には、水抜き孔１９が形成されている。
水抜き部９では、凹部１５の底部２１から底壁１１までカットして水抜き孔１９を形成している。凹部１５は上面視が略円形であり、その円から突き出るように一側に矩形部２３が形成されており、この矩形部２３の先端側を凹部１５の底部２１から、底壁１１に至る切断によりカットすることにより、凹部１５の構成壁に水抜き孔１９を形成している。即ち、この水抜き孔１９は凹部１５を構成する側部２２に形成されている。
トレーの側壁１３には、内側に段部２５、２７が形成されており、この段部２５、２７を目安にして段部２５まで軽石１２を敷き詰め、段部２７まで土壌１４を充填するようになっている。従って、軽石１２や土壌１４の充填するべき位置が容易にわかる。
トレー３のコーナ部２８には、内側に円弧上に凹んだ係合部３０が形成されており、この係合部３０が後述する位置規制部材３３の外周面に当接している。
固定具５は、ベース材３１と、ベース材３１の上面に立設する位置規制部材３３と、位置規制部材３３の上端に着脱自在に固定する抜け止め部材３５とから構成されている。
ベース材３１は上面視矩形であり、位置規制部材固定部３７が設けられている。位置規制部材固定部３７は、ベース材３１の略中央部位置３７ａとコーナ端部位置３７ｂと側縁中間部位置３７ｃの３箇所に設けてある。本実施の形態では、位置規制部材固定部３７はこれらの３箇所から選択自在であり、必要に応じてこれらのうちの任意の位置に位置規制部材３３を台座とともにねじ止めにより固定できるようになっている。
位置規制部材３３は、円柱形状であり、その軸孔に雌ねじが形成されており、下端がベース材３１にねじ止めされていると共に、上端には抜け止め部材３５が脱着自在にねじ止めされている。
抜け止め部材３５は、上面視が略八角形であり、八角形の周縁において一つおきの辺には、下方に向けた係止部４１が設けられている。本実施の形態では、合計４つの係止部４１が設けてあり、各係止部４１はそれぞれトレー３のコーナ部２８の内側に位置され、コーナ部２８が互いに突き合わされた４つのトレー３の各コーナ部２８を上から跨いで係合している。この抜け止め部材３５は略正方形の板４２の各角部を折り曲げることにより、係止部４１を下に向けた上面視八角形の形状に形成している。
ここで、トレー３の製造方法について説明する。トレー３は、樹脂材を原料として真空成形により樹脂形成体を製造し、その後工程で樹脂成形体の上面視略円形の凹部１５から突き出ている矩形部２３を底壁１１の裏面側からカッターにより、並んで位置する凹部１５の列毎に同時にカットして、凹部１５の列毎に水抜き孔１９を形成する。真空成形は、一般に肉厚の薄い安価な成形品が得られると共に成形型も安価にできるので製造コストが安い。水抜き孔１９を樹脂成形体の製造後に後工程でカットしているから真空成形が可能になったのである。
【００１４】
次に、本実施の形態にかかる植栽装置１の施工及び作用を説明する。植栽装置１の施工は、ベース材３１の３箇所３７a、３７ｂ、３７ｃに設けられている位置規制部材固定部３７のうちの所定箇所に位置規制部材３３を台座を介して立設してねじ止めしたものを用意する。
植栽装置を施工する場合には、設置する全トレーに対して基準となる位置に２つのベース材３１、３１を取付ける（図４（ａ）参照）。ベース材３１、３１は床面Ｆに接着により取付ける。基準となる２つのベース材３１、３１のうち一方のベース材３１には、コーナ端部位置３７ｂに位置規制部材３３を立設しており、他方のベース材３１には、側縁中間部位置３７ｃに位置規制部材３３を立設している。
基準となる２つのベース材３１、３１を床面Ｆに取付けた後、トレー３の残りのコーナ部２８の係合部３０に位置規制部材３３が当接する位置を決め、その位置に次の２つのベース材３１、３１を床面Ｆに接着固定する。このようにして、４つのベース材３１を位置決め固定し、４つの位置規制部材３３にトレー３の４つのコーナ部２８がそれぞれ係合するようにして各ベース材３１上にトレー３を設置する（図４（ｂ）参照）。この最初に設置したトレー３を基準となるトレーとする。尚、４つのベース材３１のうち後から床面Ｆに固定した２つのベース材３１、３１において、一方のベース材３１には、側縁中間部位置３７ｃに位置規制部材３３を固定しており、他方のベース材３１では略中央部位置３７ａに固定してある。
次に、基準となるトレー３の隣に側壁１３を互いに合わせるようにして設置する次のトレー３のコーナ部２８に位置規制部材３３が位置するように、次の２つのベース材３１、３１を位置決めし、位置決めしたこれらのベース材３１、３１を床面Ｆに接着固定する（図４（ｃ）参照）。尚、これらのベース材３１、３１において、一方のベース材３１には、側縁中間部位置３７ｃに位置規制部材３３を固定しており、他方のベース材３１では略中央部位置３７ａに固定してある。
そして、基準となるトレー３の隣に側壁１３を互いに合わせるようにして次のトレー３を配置し、このトレー３の４つのコーナ部２８の各係合部３０をそれぞれ位置規制部材３３に係合させて設置する。（図４（ｄ）参照）。
このようにトレー３の次に２つのベース材３１、３１、次にトレー３、２つのベース材３１、３１というように順次、トレー３とベース材３１、３１とを設置し、全ての設置が終わったところで、位置規制部材３３の上端に抜け止め部材３５をねじにより固定する（図４（ｅ）参照）。
抜け止め部材３５は、一体に形成されている４つの係止部が、突き合わされて隣接している各トレー３のコーナ部２８に上から跨って係止する。
位置規制部材３３は、各トレー３のコーナ部２８に係合して前後左右方向の移動を規制し、抜け止め部材３５がトレー３の上方への移動を規制することにより各トレーを３次元方向で固定している。
上述した施工では、最初に基準となる２つのベース材３１、３１の寸法出しをすればよく、その後は順次トレー３とベース材３１とを置いていけば良いので、全てのトレー３に対して寸法出しをする必要がなく、施工が容易である。
トレー３を直接床面に接着することなく、ベース材３１を接着し、その上にトレー３を置いているので、土壌１４等が収納されたトレー３の裏面に接着剤を塗布する必要がなく、施工が容易にできる。
更に、ベース材３１は接着により床面Ｆに固定し、アンカー等を必要としないので床面に損傷を与えない。特に、床面に施してある防止加工等を傷つけることがない。
尚、メンテナンス等において、各トレー３を取り除くときには、抜け止め部材３５を止めているねじを位置規制部材３３から外せば、各トレー３は上方に個別に外すことができる。また、ベース材３１は取り除かないでそのまま残して、順次トレー３のみを外し、各トレー３のメンテナンスが終了した後、そのまま各トレー３を位置規制部材３３の間に挿入するようにしてベース材３３の上から設置することができる。
【００１５】
次に、図５乃至図７を参照して、本発明の第２実施の形態を説明するが、以下に説明する実施の形態において、上述した第１実施の形態と同一の作用効果を奏する部分には同一の符号を付することにより、その部分の詳細な説明を省略すると共に、主に上述した第１実施の形態と異なる部分を説明する。図５は、第２実施の形態にかかる植栽装置の平面図であり、図６は図５のＢ―Ｂ位置において抜け止め部材を装着した状態の断面図であり、図７は線材によりトレーに植栽マットを固定する方法を示す斜視図である。
第２実施の形態では、トレー３の設置において、障害物を避けるように障害物の周囲にトレー３を設置しているため、一方のトレー３のコーナ部２８が他方のトレー３の側縁（平面視矩形の一辺）５０に当接配置している。トレー３にはコーナ部２８にトレー３の外側に開口する凹部５１が形成されている。この凹部５１は図５に一点鎖線で抜き出して示すように、略Ｌ字形状に形成されており凹部５１に位置規制部材３３の収納空間Ｓを形成している。一方、位置規制部材３３は断面が円形であり、凹部５１の空間Ｓ内に収まる外径になっている。従って、一方のトレー３のコーナ部２８を他方のトレーの側縁５０に当接しても位置規制部材３３が邪魔にならずに隙間なく両トレーを隣接配置でき、外観がよい。
トレー３はコーナ部２８どうしを付き合わせて配置することに限られないから、異なる大きさのトレー３を用いることができる。
また、この第２実施の形態において、各トレー３には、植栽マット１７をトレー３内に固定する固定具５３が設けてあり、固定具５３は植栽マット１７の上面に配置する線材５５と、線材５５の端部にかしめ付けしたスリーブ５７とから構成されている。一方、トレー３の四周の各側壁５０にはその上部に貫通孔５９ａ〜５９ｈが形成してある。各貫通孔５９ａ〜５９ｈに線材５５を通すようになっているが、スリーブ５７は貫通孔５９ａ〜５９ｈを通らない大きさである。
本実施の形態では、トレー３には平面視矩形の植栽マット１７が４つ各角を突き合わせるようにして収納されており、各側壁５０には２個ずつ対向する位置に貫通孔５９ａ〜５９ｈが設けられている。線材５５はトレーの外側から内側に貫通孔５９ａを通して、植栽マット１７上を横断した後、対向する側壁の内側から外側に貫通孔５９ｂを通し、トレー３の外側で折り返して隣の貫通孔５９ｃに外側から内側に通し、植栽マット１７上を横断した後、貫通孔５９ａの隣の貫通孔５９ｄを内側から外側に通す、同様にして、貫通孔５９ｅ、５９ｆ、５９ｇ、５９ｈの順序で線材５５を通した後、トレー３の外側位置で線材５５の両端部にそれぞれスリーブ５７をかしめ止めして貫通孔５９ａ、５９ｈに対する抜け止めをする。
本実施の形態では、一本の線材５５を各貫通孔５９ａ〜５９ｈに順次通して折り返して端部にスリーブをかしめ止めしているので、線材５５の端部を固定する作業回数が少なくて済むので組み立て作業性が良い。
【００１６】
本発明は、上述した実施の形態に限らず、本発明の趣旨を逸脱しない範囲で種々変形可能である。
例えば、位置規制部材３３の形状は限定されず、例えば、角柱形状としてトレー３のコーナ部２８にこの角柱に係合する角型の係合部を形成してもよい。
抜け止め部材３５は、上面視八角形のものに限らず、円形、四角等であってもよく、更に、各トレー３の内側に入る係止部４１を設けないで、各トレー３の側壁の上に位置する平坦状のものであってもよい。
水抜き孔１９は、全ての凹部１５に設けなくてもよい。
請求項２に記載の発明においては、ベース材３１は、床面Ｆに接着により取付けることに限らず、金具等により床面Ｆに固定するものであってもよい。
請求項３に記載の発明において、コーナ部２８に設ける凹部５１は平面視略Ｌ字形状に限らず、円弧形状等であってもよく、その形状は制限されない。
第２実施の形態において、トレー３の各側壁５０に形成する孔の数は２個ずつに限らず、いくつでもよい。
【００１７】
【発明の効果】
請求項１に記載の発明によれば、位置規制部材は、各トレーのコーナに係合して前後左右方向の移動を規制し、抜け止め部材がトレーの上方への移動を規制しているから各トレーを３次元方向に固定することができる。
しかも、施工は、位置規制部材を立設したベース材上に各トレーを配置し、抜け止め部材を位置規制部材に固定するだけであり、各トレーのねじ固定作業等が必要ないので、施工が容易である。
ベース材は接着により床面に固定し、アンカー等を必要としないので施工が容易であると共に、床面に損傷を与えることがない。
施工は、ベース材とトレーとを順次設置して行うことができ、基準となるベース材の寸法出しや位置決めを行った後は、個々のベース材について予めトレーの寸法に合わせて精度よくベース材の寸法取りが必要ないので施工が容易である。
ベース材はトレーの下にありトレーから大きくはみ出さないので、外から見え難く、外観を損ねない。
抜け止め部材は脱着自在に位置規制部材に固定してあるので、メンテナンス等の場合には、抜け止め部材を外すだけで、各トレーを個別に外すことができるので、メンテナンス等が容易である。
【００１８】
請求項２に記載の発明によれば、位置規制部材は、各トレーのコーナに係合して前後左右方向の移動を規制し、抜け止め部材がトレーの上方への移動を規制しているので３次元方向に各トレーを固定できる。
ベース材はトレーを配置しながら床面に順次設置することができ、基準となるベース材の寸法出しをした後は、個々のベース材について予めトレーの寸法に合わせて精度よく設置する必要がないので、寸法取りが必要でなく施工が容易である。
しかも、施工は、位置規制部材を立設したベース材上に各トレーを配置し、抜け止め部材を位置規制部材に固定するだけであり、各トレーのねじ固定作業等が必要ないので、施工が容易である。
また、トレーは上面視略矩形であるから、基準となるトレーの位置決めをした後は、隣合うトレーを突き合わせて順次設置することにより施工でき、施工が容易である。
ベース材はトレーから大きくはみ出さないので、外から見え難く、外観を損ねない。
抜け止め部材は脱着自在に位置規制部材に固定してあるので、メンテナンス等の場合には、抜け止め部材を外すだけで、各トレーを個別に外すことができるので、メンテナンス等が容易である。
ベース材を上面視矩形とし且つベース材に設けている位置規制部材固定部は、ベース材の略中央位置と、コーナ端部位置と、側縁中間部位置との少なくとも３箇所に選択自在に取付けることができるので、例えば、トレーを敷地面に並べたときに敷地面のコーナにあるトレーや輪郭に位置するトレーよりも内側にあるトレー等の種々の位置に応じて位置規制部材の固定場所を選択することにより、例えば、緑化装置を設置する敷地面のコーナにあるベース材にはコーナ端部位置に位置規制規部材を取り付け、敷地面のコーナ間（側縁）にあるベース材には側縁中間位置に位置規制部材を取り付け、敷地面の輪郭（コーナや側縁）よりも内側にあるベース材には略中央位置に位置規制部材を取付けて床面に設置することにより、ベース材がトレーから大きくはみ出すのを防止しつつ設置位置にかかわらず同種のベース材を使用でき、設置位置が異なる毎に異なる種類のべース材を用意する必要がないので施工し易いと共に製造コストを低減できる。
【００１９】
請求項３に記載の発明によれば、トレーの固定は、抜け止め部材を位置規制部材に固定するだけであり、各トレーをねじ等によりベース材に固定する必要がないので、施工が容易である。
トレーは上面視略矩形であるから、隣合うトレーを突き合わせて順次設置することにより施工でき、施工が容易である。
トレーはコーナ部にトレーの外側に開口する凹部を有し、この凹部には位置規制部材が水平方向から収まるようになっているので、各トレーはコーナ部同士を突き合わせて配列することに限らず、一方のトレーの側縁と他方のトレーのコーナ部とを突き合わせても、位置規制部材が邪魔にならずにトレーを隙間なく整列させることができ、外観がよい。特に、植栽トレーを設置する敷地形状に合わせたり、障害物等を避けて植栽トレーを設置する等、植栽トレーの設置する敷地形状に制約なく自由な施工ができる。
更に、各トレーは互いにコーナ部を突き合わせて配置することに限らないから、大きさの異なるトレーを用いることができる。
ベース材はトレーを配置しながら床面に順次設置することができ、基準となるベース材の寸法出しをした後は、個々のベース材について予めトレーの寸法に合わせて精度よく設置する必要がないので、寸法取りが必要でなく施工が容易である。
ベース材はトレーの下にあり、トレーから大きくはみ出さないので、外から見え難く、外観を損ねない。
ベース材に設けている位置規制部材固定部は、ベース材の略中央位置と、コーナ端部位置と、側縁中間部位置との少なくとも３箇所に選択自在に取付けることができ、トレーを敷地面に並べたときに敷地面のコーナにあるトレーや輪郭に位置するトレーよりも内側にあるトレー等の種々の位置に応じて位置規制部材の固定場所を選択することにより、例えば、緑化装置を設置する敷地面のコーナにあるベース材にはコーナ端部位置に位置規制規部材を取り付け、敷地面のコーナ間（側縁）にあるベース材には側縁中間位置に位置規制部材を取り付け、敷地面の輪郭（コーナや側縁）よりも内側にあるベース材には略中央位置に位置規制部材を取付けて床面に設置することにより、ベース材がトレーから大きくはみ出すのを防止しつつ設置位置にかかわらず同種のベース材を使用でき、設置位置が異なる毎に異なる種類のべース材を用意する必要がないので施工し易いと共に製造コストを低減できる。
【００２０】
【図面の簡単な説明】
【図１】  図２に示す植栽装置のＡ−Ａ断面図である。
【図２】  第１実施の形態にかかる植栽装置の平面図である。
【図３】  固定具の図であり、（ａ）は平面図、（ｂ）は側面図である。
【図４】  植栽装置の施工手順を説明する斜視図である。
【図５】  第２実施の形態にかかる植栽装置の平面図である。
【図６】  図５のＢ―Ｂ位置において抜け止め部材を装着した状態の断面図である。
【図７】  線材によりトレーに植栽マットを固定する方法を示す斜視図である。
【符号の説明】
１    植栽装置
３    トレー（植栽用トレー）
５    固定具
７    植栽部
９    水抜き部
１１  底壁
１３  側壁
１５  凹部
１９  水抜き孔
２１  底部
２８  コーナ部
３０  係合部
３１  ベース材
３３  位置規制部材
３５  抜け止め部材
３７  位置規制部材固定部
３７ａ  略中央部位置
３７ｂ  コーナ端部位置
３７ｃ  側縁中間部位置
５０    トレーの側縁
５１    凹部
Ｆ      床面
【図１】
0004016416.tif 000002
【図２】
0004016416.tif 000003
【図３】
0004016416.tif 000004
【図４】
0004016416.tif 000005
【図５】
0004016416.tif 000006
【図６】
0004016416.tif 000007
【図７】
0004016416.tif 000008